(57)【要約】【課題】色むらがなく、混色性に優れ、より小型・軽量化されたデザイン性に富む屋内用及び屋外用の照明装置を実現することができ、構造的にシンプルで、取り扱いが容易で、照明器具等としての機能を最大限に発揮することができ、ライン光源として複数の発光装置を連結させて用いる場合においても、光が途切れず、連続的に均一に照明することができる発光装置を提供することを目的とする。【解決手段】ベースと、長手方向に複数の発光素子が搭載された基板と、長手方向において前記ベース及び基板よりも長尺で、かつ前記ベース及び基板を被覆するレンズとがこの順に積層されて構成される発光装置であって、前記レンズは、長手方向に対向する一対の両端部に、前記レンズを外部に固定するための固定部を構成する切欠部と該切欠部の内周に形成された鍔部とを備える発光装置。【選択図】図１
2008210943.tif 000002
【特許請求の範囲】
【請求項１】
ベースと、長手方向に複数の発光素子が搭載された基板と、長手方向において前記ベース及び基板よりも長尺で、かつ前記ベース及び基板を被覆するレンズとがこの順に積層されて構成される発光装置であって、
前記レンズは、長手方向に対向する一対の両端部に、前記レンズを外部に固定するための固定部を構成する切欠部を備えることを特徴とする発光装置。
【請求項２】
前記切欠部は、該切欠部の内周に鍔部を備える請求項１に記載の発光装置。
【請求項３】
前記固定部は、レンズと同じ材料によって一体的に形成されてなる請求項１又は２に記載の発光装置。
【請求項４】
前記切欠部は、貫通孔を半割した形状である請求項１〜３のいずれか１つに記載の発光装置。
【請求項５】
さらに、前記ベースと基板との間に熱伝導性シートを備える請求項１〜４のいずれか１つに記載の発光装置。
【請求項６】
前記ベース及び基板は、長手方向の両端部がレンズの両端部における固定部の内側に配置し、前記切欠部は、光観測面から背面に向かって貫通してなる請求項１〜５のいずれか１つに記載の発光装置。
【請求項７】
前記ベース及び基板は、長手方向の両端部がレンズの両端部における固定部の内側に配置し、前記切欠部は、光観測面に対して交差する方向に向かって貫通してなる請求項１〜６のいずれか１つに記載の発光装置。
【請求項８】
前記基板に連結し、該基板に搭載された発光素子に電源を供給するためのコネクタが、光観測面に対する背面側に配置されてなる請求項１〜７のいずれか１つに記載の発光装置。
【請求項９】
前記レンズは、光観測面の内側から背面側に延設された位置合わせ用の突部を備え、前記基板及びベースの対応する位置に、前記位置合わせ用突部を通す穴を有する請求項１〜８のいずれか１つに記載の発光装置。
【請求項１０】
前記レンズは、光観測面に対する両側面に、少なくともベースと着脱可能に噛み合って結合する取付部を備え、該取付部は、内側に起曲した鉤部を備え、かつ前記ベースは、レンズの鉤部に対応する位置に、鉤部を係止するための係止部が配置されてなる請求項１〜９のいずれか１つに記載の発光装置。
【請求項１１】
前記レンズは、シリンドリカルレンズ形状又は平面形状である請求項１〜１０のいずれか１つに記載の発光装置。
【請求項１２】
前記レンズは、光観測面に拡散部を備える請求項１〜１１のいずれか１つに記載の発光装置。
【発明の詳細な説明】
【技術分野】
【０００１】
本発明は、発光装置に関し、より詳細には、ライン状に複数の発光素子が搭載された発光装置に関する。
【背景技術】
【０００２】
近年、発光ダイオード（ＬＥＤ）等の発光素子を用いた発光装置が提案されている（例えば、特許文献１〜３等）。
このような発光装置のうち、ＬＥＤが複数個、ライン状に並べられて構成された発光装置が、間接照明等の照明装置として用いられている。この発光装置は、通常、金属基板と、この基板上に搭載された複数のＬＥＤチップと、これらＬＥＤチップを覆うように形成されたシリンドリカルレンズとから構成されている（例えば、特許文献４）。
【特許文献１】特開２００６−３３１８１７号公報
【特許文献２】ＷＯ２００２−０６７０５１号公報
【特許文献３】特開２００６−１７２８９３号公報
【特許文献４】特開２００２−２９９６９７号公報
【発明の開示】
【発明が解決しようとする課題】
【０００３】
このような発光装置は、色むらがなく、混色性に優れ、より小型・軽量化されたデザイン性に富む屋内用の照明器具、さらには屋外用の照明装置として開発が進められている。従って、構造的にシンプルで、取り扱いが容易で、照明器具等としての機能を最大限に発揮することができる発光装置の開発が望まれており、特に、ライン光源として、複数の発光装置を連結させて用いる場合においても、光が途切れず、連続的に均一に照明することができる発光装置が必要とされている。
【課題を解決するための手段】
【０００４】
本発明の発光装置は、ベースと、長手方向に複数の発光素子が搭載された基板と、長手方向において前記ベース及び基板よりも長尺で、かつ前記ベース及び基板を被覆するレンズとがこの順に積層されて構成される発光装置であって、
前記レンズは、長手方向に対向する一対の両端部に、前記レンズを外部に固定するための固定部を構成する切欠部を備えることを特徴とする。
【０００５】
このような発光装置では、前記切欠部は、該切欠部の内周に鍔部を備えることが好ましい。
また、前記固定部は、レンズと同じ材料によって一体的に形成されていることが好ましい。
前記ベースと基板との間に熱伝導性シートをさらに備えることが好ましい。
【０００６】
前記切欠部は、貫通孔を半割した形状であることが好ましい。
さらに、前記ベース及び基板は、長手方向の両端部がレンズの両端部における固定部の内側に配置し、前記切欠部は、（１）光観測面から背面に向かって貫通するか、（２）光観測面に対して交差する方向に向かって貫通することが好ましい。
【０００７】
また、前記基板に連結し、該基板に搭載された発光素子に電源を供給するためのコネクタが、光観測面に対する背面側に配置されてなることが好ましい。
さらに、前記レンズは、光観測面の内側から背面側に延設された位置合わせ用の突部を備え、前記基板及びベースの対応する位置に、前記位置合わせ用突部を通す穴を有するか、光観測面に対する両側面に、少なくともベースと着脱可能に噛み合って結合する取付部を備え、該取付部は、内側に起曲した鉤部を備え、かつ前記ベースは、レンズの鉤部に対応する位置に、鉤部を係止するための係止部が配置されてなるか、シリンドリカルレンズ形状又は平面形状であるか、光観測面に拡散部を備えることが好ましい。
【発明の効果】
【０００８】
本発明によれば、色むらがなく、混色性に優れ、より小型・軽量化されたデザイン性に富む屋内用及び屋外用の照明装置を実現することができる。これにより、構造的にシンプルで、取り扱いが容易で、照明器具等としての機能を最大限に発揮することができる。
また、ライン光源として、複数の発光装置を連結させて用いる場合においても、光が途切れず、連続的に均一に照明することができる。
【発明を実施するための最良の形態】
【０００９】
本発明の発光装置の実施の形態を以下に詳細に説明する。
実施の形態１
図１の分解斜視図ならびに図２（ａ）の側面図、図２（ｂ）の背面図、図２（ｃ）の端面図及び図２（ｄ）の下側からの斜視図に示すように、この実施の形態の発光装置１０は、主として、ベース１１、任意に熱伝導性シート１５、発光素子１３が搭載された基板１２、レンズ１４がこの順に組み合わせられて構成されている。
【００１０】
ベース１１は、通常、熱伝導性が良好な材料、例えば、板状のアルミニウム又はアルミニウム合金等によって、長手方向に延長した形状に形成されている。このベース１１は、平坦な板のままであってもよいし、例えば、板をコの字状に屈曲加工等した形状であってもよい。コの字状等の形状により、ベース１１と外気との接触面積を確保し、発光装置の放熱性を向上させることができるとともに、ベース１１の厚みが非常に薄く形成される場合においても、ベース１１自体の強度を確保することができる。ただし、ベース１１の形状は、特に限定されるものではなく、光観測面に対する側面がテーパ及び逆テーパ状に形成されていてもよいし、側面１１ｂが一方のみしか存在しないか、全く存在しない形状等であってもよい。
【００１１】
また、ベース１１には、後述する基板１２に連結するコネクタ１２ｂ、１２ｃを、ベース１１の背面（光観測面に対する裏面側）に取り出すことができるように、それぞれのコネクタ１２ｂ、１２ｃに対応する位置に窓１１ｃが形成されている。これにより、配線等の発光装置の電源供給手段を背面に設置することができ、光観測面側から見た発光装置をより細型構造とすることができる。
【００１２】
さらに、ベース１１には、後述するレンズ１４に形成された取付部１４ｅに対応する位置に、この取付部１４ｅを係止するための係止部１１ｄが形成されている。この係止部１１ｄの形状は、取付部１４ｅの形状によって任意の形状とすることができ、例えば、上述したコネクタ１２ｂ、１２ｃを取り出すための窓１１ｃの縁部を係止部１１ｄとして用いてもよいし、さらに、そのような縁部に、取付部１４ｅの形状に対応した突起等を形成してもよい。取付部１４ｅとそれに対応する係止部１１ｄを形成することにより、発光装置の組立てにおいて螺子等の固定部材を別途用いることなく、簡便かつ容易に発光装置を組み立てることができる。
また、ベース１１には、後述するレンズ１４に形成された位置合わせ用の突部１４ｄに対応する位置に、穴１１ａ、つまり貫通孔又は凹部が形成されていることが好ましい。この穴の数は特に限定されるものではなく、１以上、通常２、３箇所に形成されていればよい。
【００１３】
基板１２は、長手方向に延長した形状に形成されていることが好ましく、長手方向に複数の発光素子１３を、好ましくはライン状に載置している。基板１２は、発光素子１３を搭載し、その表面及び／又は背面に、発光素子１３を発光させるための配線、配線パターン、異なる素子の搭載等、当該分野で公知の手段が施されている。
【００１４】
この基板１２には、その背面であって、基板１２の中央に連結され、基板１２に搭載された発光素子１３に電源を供給するための電源用コネクタ１２ｃと、基板１２の両端に連結され、この基板１２に搭載された発光素子に信号を送るための信号用コネクタ１２ｂとが配置されている。各コネクタ１２ｂ、１２ｃは、当該分野で通常知られている形状及び機能を有しているものであれば特に限定されるものではない。
【００１５】
また、図５に示すように、発光装置を、ライン光源として複数連結させて外部へ実装する場合、各コネクタ１２ｂ、１２ｃが干渉しないように孔が設けられたアルミなどからなる金属板１７を用いることが好ましい。これにより、ベース１１からの熱をベース１１全体から金属板１７を介して外部へ放熱することができる。図６は、図５の平面側斜視図を示す。隣り合う信号用コネクタ１２ｂは、信号線わたりケーブル１８にて接続され、各電源用コネクタ１２ｃは、分岐コネクタ２１を介して電源本線ライン２０に接続される。本発明の発光装置では、各コネクタ１２ｂ、１２ｃが背面側に取り付けられていることから、すべてのケーブルを背面側に配置し、体裁がよく、取り扱いが容易となる。
【００１６】
基板１２には、ベース１１と同様に、後述するレンズ１４に形成された位置合わせ用の突部１４ｄに対応する位置に、貫通孔１２ａが形成されていることが好ましい。
基板１２に搭載される発光素子１３は、いわゆる発光ダイオードと呼ばれる半導体素子であれば特に限定されるものではなく、当該分野で使用されているもののいずれをも使用することができる。また、発光素子自体（パッケージ、被覆部材等）に波長変換部材（例えば、蛍光体等）、拡散剤等が含有されていてもよい。また、発光素子として、２in１、３in１等、複数のチップが搭載されたパッケージを用いてもよい。特に、ＲＢＧに対応したフルカラーのパッケージを用いることにより、単色の発光素子を用いる場合よりも、混色性を向上させることができる。
【００１７】
発光素子１３は、基板１２上に、複数個、等間隔で配置されていることが好ましい。これにより、均一な光の分布を実現することができる。さらに、発光装置の両端に位置する発光素子は、レンズ１４の端面までの距離が、その隣接する発光素子までの距離の略１／２であることが好ましい。これにより、発光装置をライン状に複数連結する場合に、隣接する発光装置同士は、２つの発光装置の切欠部１４ｂ及び鍔部１４ｃを連結することにより、１つの固定部材１４ａで隙間なく配置されるために、ライン全長にわたって発光素子１３が等間隔で配置されることとなり、光の途切れを防止することができる。
【００１８】
レンズ１４は、長手方向においてベース１１及び基板１２よりも長尺で、ベース１１及び基板１２を被覆するように形成されている。
レンズ１４は、長手方向の両端部に固定部１４ａを有している。固定部１４ａは、レンズ１４を外部に固定するために利用される部位であるが、この固定部１４ａ自体がレンズ機能を有しているか、レンズ１４に対して悪影響を与えない構成であることが好ましい。
【００１９】
固定部１４ａは、レンズ１４と同じ材料によって、レンズ１４と一体的に形成されていることが好ましい。部品数を低減させ、安価でかつ組立てを容易とするためである。
固定部１４ａは、少なくとも切欠部１４ｂを備えている。切欠部１４ｂは、レンズ１４を外部（例えば、壁、天井等）に固定するための固定部材（例えば、螺子、釘等）（図示せず）を挿入することができるような形状を有している。例えば、貫通孔の一部（例えば、貫通孔の縦半割の一方等）を構成する。つまり、切欠部１４ｂは、２つの発光装置の固定部を隣接させた場合に、略完全な貫通孔を構成できるような形状を切り欠いた部位であることが好ましい。ここでの貫通孔は、円形が好ましいが、楕円、多角形、これらに近似する形状であってもよい。また、切欠部及び貫通孔の大きさは特に限定されず、発光装置の大きさ、重量等によって、発光装置を固定させるために十分な力を確保することができる固定部材を挿入することができる大きさに対応するものであることが好ましい。
【００２０】
また、切欠部１４ｂは、その内周に鍔部１４ｃが形成されていることが好ましい。鍔部１４ｃは、固定部材の一部（例えば、頭等）に係合して、レンズ１４を外部に強固に押し付ける機能を有する。したがって、この鍔部１４ｃも、切欠部１４ｂと同様に、環状、例えば、ドーナツ状の鍔が半割された形状である。鍔部１４ｃの幅及び厚みは、上述したように、固定部材によって発光装置を強固に押し付けることができる力を確保することができるものとするものが好ましい。
【００２１】
このように、レンズ１４が、固定部１４ａとして、切欠部１４ｂ、任意に鍔部１４ｃを備えることにより、レンズ１４自体を外部に直接固定することができる。これにより、発光装置１０の最も外側から、発光装置１０を構成する各部材を確実かつ安定に固定することができる。加えて、近年におけるベースの薄膜化に対応して、ベースからレンズに固定部を変更することで、発光装置自体の小型化及び簡素化を実現することができる。また、切欠部１４ｂ、任意に鍔部１４ｃが、貫通孔（及びその鍔部）を半割した形状とすることにより、この発光装置をライン状に２つ連結する場合に、一方の発光装置の一端の切欠部（及び鍔部）と、他方の発光装置の他端の切欠部（及び鍔部）とで、略完全な貫通孔（及び鍔部）を形成することになる。その結果、隣接する発光装置のレンズが隙間なく配置されることになり、光の途切れを防止することができるとともに、隣接する２つの発光装置を、同時に１つの固定部材で固定することができる（図５中、１６参照）。さらに、貫通孔でなく切欠部とすることにより、発光装置を外部（例えば、壁）に固定する際に、発光装置自体を壁の所定の箇所に配置し、位置合わせし、固定部材（例えば、螺子）で固定するという取付け工程を、まず、螺子等をある程度まで壁に配置／挿入して、位置合わせをし、その後に壁に固定した螺子に切欠部を挿入し、発光装置が壁に固定されるまで螺子を締める工程に変更することができ、簡便かつ容易に、位置合わせ精度が良好に、発光装置を壁等に取り付けることが可能となる。
【００２２】
また、レンズ１４の固定部１４ａ、つまり、切欠部１４ｂ、任意に鍔部１４ｃは、ベース１１及び基板１２の長手方向に対向する一対の両端部のそれぞれよりも外側に配置していることが好ましい。これにより、ベース１１及び基板１２の位置に拘わらず、簡便にレンズ１４を外部に取り付けることができる。
【００２３】
例えば、本発明の発光装置１０を、光観測面の背面において壁又は天井等に固定する場合には、レンズ１４の切欠部１４は、光観測面から背面に向かって貫通していることが好ましい。さらに、切欠部１４ｂ内の鍔部１４ｃが、光観測面に対する背面側において、切欠部１４ｂ以外の固定部１４ａ、さらに好ましくはベースとも、略面一になるように形成されていることが好ましい（図２（ｄ）参照）。これにより、壁又は天井等の設置面に、発光装置１０の一面が隙間なく接触することとなり、強固に取り付けた場合においても、発光装置１０が変形又は破損すること防止することができる。特に、鍔部１４ｃが、固定部１４ａの背面側において固定部１４ａと、ベース１１の背面と、略面一とすることで、強固にレンズ１４、ひいては発光装置１０を壁等に取り付けることが可能となる。
【００２４】
また、レンズ１４は、光観測面の内側から背面側に延設された位置合わせ用の突部１４ｄを備えることが好ましい。これにより、基板１２及びベース１１等を適所に配置するように、簡便位置合わせしながら組み立てることができる。突部１４ｄの形状、長さ、大きさ、数等は特に限定されるものではなく、例えば、円柱状又は多角形柱状が適当であり、レンズ機能に悪影響を与えないような大きさであることが適している。また、ベース１１に届く長さであればよく、必ずしもベース１１を貫通する長さでなくてもよい。突部１４ｄは少なくとも１つあればよく、レンズ機能に悪影響を与えない程度に、２つ以上であってもよい。
【００２５】
さらに、レンズ１４は、光観測面に対する両側面に、上述したように、少なくともベース１１と着脱可能に噛み合って結合する取付部１４ｅを備えていることが好ましい。これにより、螺子などの別個の部材を用いずに、発光装置１０の組立てを実現することができる。また、本発明の発光装置では、ベース１１及び基板１２は、基本的に、外部に固定用の固定部材と係合又は接触するような部位を有していないため、これらがレンズ１４に連結する機構が形成されていることにより、発光装置１０の組立て及び固定をより確実に行うことができる。
【００２６】
取付部１４ｅは、外側に向かって起曲した鉤部１４ｆを少なくとも１つ備えていることが好ましい。鉤部１４ｆの形状は、公知の同様の機能を有するもののすべてを利用することができる。この場合、上述したように、レンズ１４が、少なくともベース１１に、任意に後述する熱伝導性シート１５にも、係合することができるように、レンズ１４の鉤部１４ｆに対応する位置に、鉤部１４ｆを係止するための係止部１１ｄが配置されていることが好ましい。なお、係止部１１ｄは、必ずしも鉤部１４ｆと掛合する形状（例えば、鉤部と掛合する突起等）が形成されていなくてもよく、鉤部１４ｆが留まる凹部又は貫通孔等の形状であってもよい。
【００２７】
レンズ１４は、光観測面側に光を導出することができる形状であれば、特にその形状は限定されない。例えば、光観測面側において、シリンドリカルレンズ形状又は９０°程度、好ましくは６０°程度の配光が実現する形状が好ましい。このような集光レンズを用いた場合には、光観測面正面の明るさを向上させることができる。なお、このような形状の場合には、ベース１１の高さ（図２（ａ）中、Ｈｂ）とレンズ１４の凸部の高さ（図２（ａ）中、Ｈｌ、ベース１１より上に突出した部位）とが、Ｈｂ＞Ｈｌの関係となるようにすることが好ましい。意図しない部分に影がでることを防止するためである。
【００２８】
レンズ１４は、光透過性を有していればよい。ここでの光透過性は、１００％であることが好ましいが、混色、色むら等を考慮して、半透明及び不透明（例えば、光透過性が５０％程度以上、乳白色のもの等）のものであってもよい。
【００２９】
レンズ１４は、当該分野で公知の材料によって形成することができるが、例えば、軽量で、強度の強いプラスチックを用いることが好ましい。
また、レンズ１４は、光観測面に拡散部を備えていてもよい。ここで、拡散部とは、発光素子１３からの光を拡散し得る部分を意味し、レンズ１４と一体的に構成されていてもよいし、レンズ１４に他の部材を組み合わせて構成されていてもよい。例えば、レンズ１４の表面及び／又は背面（内側）に拡散シート（例えば、半透明及び乳白色樹脂製の厚さの薄いシート）を貼り付けてもよいし、レンズ１４の表面及び／又は背面にサンドブラスト、研磨等の粗面処理を施してもよい。さらに、レンズ１４を形成する材料自体に拡散剤（例えば、酸化シリコン等のフィラー等）を混入してもよい。これにより、混色性を特に向上させることができる。
【００３０】
さらに、本発明の発光装置は、ベース１１と基板１２との間に、熱伝導性シート１５を備えていることが好ましい。これにより、ベース１１自体が薄膜化、表面積低減化された場合においても、発光素子１３からの熱を、基板１２を介してこの熱伝導性シート１５に効率的に伝達し、外部に放出することができる。
【００３１】
熱伝導性シート１５は、例えば、１Ｗ／（ｍ・Ｋ）程度以上の熱伝導率を有し、かつ、絶縁性のものが好ましい。これにより、基板１２とベース１１との導通を防止し、発光素子１３間にてショートすることなく発光素子１３から発生する熱を効率的に逃がすことができる。具体的には、シリコーンゴム等により形成することができる。その厚み、形状及び大きさ等は、得ようとする発光装置の大きさ、形状等を考慮して適宜調整することができるが、基板１２と略同じ形状、同じ大きさであることが好ましい。
【００３２】
また、基板１２のコネクタ１２ｂに対応した位置に、窓１５ｂ、１５ｃが形成されていることが好ましい。また、レンズ１４の取付部１４ｅの鉤部１４ｆが接触しないように切欠部１５ｄが形成されていることが好ましい。
【００３３】
実施の形態２
この実施の形態２の発光装置２０は、図３（ａ）〜（ｄ）に示したように、レンズ２４が、光観測面において、平面形状であるか又はフラット配光が実現する形状に形成されている以外、実質的に実施の形態１と同様の構成である。
このようなレンズ形状の場合には、発光装置の側面において、レンズ２４が露出しない、つまり、ベース１１の側面１１ｂの上端面から突出しないことが好ましい。意図しない部分に影がでる等をなくして、良好な配光を確保するためである。
【００３４】
実施の形態３
この実施の形態３の発光装置３０は、図４（ａ）〜（ｄ）に示したように、レンズ３４における固定部３４ａの向きが変更されている以外、実質的に実施の形態１と同様の構成である。
この発光装置３０では、固定部３４ａにおける切欠部３４ｂは、光観測面に対して交差する方向、例えば、直交する方向に向かって貫通している。さらに、切欠部３４ｂ内の鍔部３４ｃが、光観測面に対する側面側において、発光装置側面、例えば、切欠部３４ｂ以外の固定部３４ａ及び／又はベース１１の側面１１ｂと略面一に形成されている。
【００３５】
この発光装置３０を、光観測面の側面において壁又は天井等に固定する場合には、壁又は天井等の設置面に、発光装置の一面が隙間なく接触することにより、強固に取り付けた場合においても、発光装置が変形又は破損すること防止することができる。
【産業上の利用可能性】
【００３６】
本発明は、照明装置のみならず、発光素子を用いた装置、特に、ライン状に発光素子を並列させて用いる光源として、種々の用途に用いることができる。
【図面の簡単な説明】
【００３７】
【図１】本発明の発光装置の分解斜視図である。
【図２】本発明の発光装置の（ａ）側面図、（ｂ）背面図、（ｃ）端面図及び（ｄ）斜視図である。
【図３】本発明の別の発光装置の（ａ）側面図、（ｂ）背面図、（ｃ）端面図及び（ｄ）斜視図である。
【図４】本発明のさらに別の発光装置の（ａ）側面図、（ｂ）背面図、（ｃ）端面図及び（ｄ）斜視図である。
【図５】本発明の発光装置をライン光源として実装する際の平面側模式的斜視図である。
【図６】本発明の発光装置をライン光源として実装した際の背面側模式的斜視図である。
【符号の説明】
【００３８】
１０、２０、３０  発光装置
１１  ベース
１１ａ  穴
１１ｂ  側面
１１ｃ、１５ｂ、１５ｃ  窓
１１ｄ、１５ｄ  係止部
１２  基板
１２ａ、１５ａ  貫通孔
１２ｂ  信号用コネクタ
１２ｃ  電源用コネクタ
１３  発光素子
１４、２４、３４  レンズ
１４ａ、２４ａ、３４ａ  固定部
１４ｂ、２４ｂ、３４ｂ  切欠部
１４ｃ、２４ｃ、３４ｃ  鍔部
１４ｄ  突起
１４ｅ  取付部
１４ｆ、２４ｆ、３４ｆ  鉤部
１５  熱伝導性シート
１６  取付ネジ
１７  金属板
１８  信号線わたりケーブル
１９  入力信号ケーブル
２０  電源本線ライン
２１  分岐コネクタ
【図１】
2008210943.tif 000003
【図２】
2008210943.tif 000004
【図３】
2008210943.tif 000005
【図４】
2008210943.tif 000006
【図５】
2008210943.tif 000007
【図６】
2008210943.tif 000008